(57)【要約】【課題】テストパッチにおけるトナー付着量を検知し、検知結果を画像形成条件にフィードバックする画像安定化制御において、テストパッチにおけるトナー付着量を検知する反射型センサの出力変動による制御誤差を除去する。【解決手段】画像が形成される像担持の裸面反射率と、画像が形成された像担持体の露出計数とを用いて、反射型センサの出力を補正する。【選択図】図１
2012003112.tif 000002
【特許請求の範囲】
【請求項１】
画像が形成される像担持体と、
前記像担持体上に画像を形成する画像形成手段と、
前記像担持体上に形成されたテストパッチにおけるトナー付着量を検知する第１反射型センサと、
前記第１反射型センサの検知結果に基づいて、前記画像形成手段を制御する制御手段と、を有する画像形成装置において、
前記制御手段は、前記像担持体の裸面反射率と、画像が形成された前記像担持体の露出係数とを用いて、前記第１反射型センサの出力を補正することを特徴とする画像形成装置。
【請求項２】
前記像担持体をクリーニングするクリーニング装置を備えるとともに、該クリーニング装置によりクリーニングされた前記像担持体の反射率を検知する第２反射型センサを有し、前記裸面反射率は前記第２反射型センサにより検知されることを特徴とする請求項１に記載の画像形成装置。
【請求項３】
前記制御手段は、画像データを用いて前記露出係数を計算することを特徴とする請求項１又は２に記載の画像形成装置。
【請求項４】
前記制御手段は、前記第１反射型センサの出力に対して、前記第１反射型センサの汚れによる誤差を補正することを特徴とする請求項１〜３のいずれか１項に記載の画像形成装置。
【請求項５】
前記制御手段は、前記第１反射型センサの出力に対して、前記第１反射型センサの汚れによる誤差を補正し、
前記誤差は、前記第１反射型センサの出力と、前記第２反射型センサの出力との差から求められることを特徴とする請求項２に記載の画像形成装置。
【発明の詳細な説明】
【技術分野】
【０００１】
本発明は、デジタル方式の電子写真プロセスにより画像を形成する画像形成装置に関する。
【背景技術】
【０００２】
デジタル方式の電子写真プロセスにより画像を形成する技術においては、環境変化や資材が変化した場合にも安定した画像を形成する画像安定化制御が知られている。
【０００３】
例えば、特許文献１に開示されているように、像担持体上にテストパッチを形成して、形成したテストパッチの濃度を反射型センサで検知し、検知結果に基づいて、現像条件や露光条件を制御する画像安定化制御が行われる。デジタル方式の電子写真プロセスにおいては、階調曲線上の各濃度レベルが露光量の変化により表現されるので、露光条件の制御により各濃度レベルを微細に調整することができる。したがって、特許文献１に開示されているような画像安定化制御によって、環境変化や資材の変化に左右されない高画質の画像が安定して形成される。
【０００４】
なお、テストパッチを形成し、形成されたテストパッチの濃度を検知した結果に基づいた制御は、特許文献２にも開示されている。特許文献２では、検知結果を複数色の画像間のレジストレーションに用いている。
【先行技術文献】
【特許文献】
【０００５】
【特許文献１】特開平９−５０１５５号公報
【特許文献２】特開２００８−９６７４４号公報
【発明の概要】
【発明が解決しようとする課題】
【０００６】
特許文献１に開示されている画像安定化制御においては、テストパッチの濃度を反射型センサで検知し、検知結果を画像形成条件にフィードバックすることが行われる。したがって、制御の精度や安定性は反射型センサの出力の安定性に左右される。
【０００７】
発明者の検討によれば、反射型センサの出力は必ずしも安定したものではなく、調整するが必要であることが判明した。
【０００８】
特許文献２では、テストパッチの濃度を反射型センサで検知し、検知結果を制御に反映させる制御において、反射型センサの出力変動を補正している。特許文献２では、像担持ベルトからの反射光量とテストパッチからの反射光量との差分を求め、求められた差分が予め定められた設定値となるように光量を決定している。しかしながら、特許文献２の補正を画像安定化制御に用いた場合、検知結果を画像形成条件にフィードバックする際に、検知結果に対して一律な値を持った差分による補正が階調曲線上の各濃度レベルに対して行われてしまい、反射型センサの出力変動が原因で発生する誤差を補正することができない。
【０００９】
本発明は、画像安定化制御において、反射型センサの出力変動により発生する制御の誤差を補正し、高画質の画像を安定して形成することができる画像形成装置を提供することを目的とする。
【課題を解決するための手段】
【００１０】
前記目的は下記の発明により達成される。
【００１１】
１．画像が形成される像担持体と、
前記像担持体上に画像を形成する画像形成手段と、
前記像担持体上に形成されたテストパッチにおけるトナー付着量を検知する第１反射型センサと、
前記第１反射型センサの検知結果に基づいて、前記画像形成手段を制御する制御手段と、を有する画像形成装置において、
前記制御手段は、前記像担持体の裸面反射率と、画像が形成された前記像担持体の露出係数とを用いて、前記第１反射型センサの出力を補正することを特徴とする画像形成装置。
【００１２】
２．前記像担持体をクリーニングするクリーニング装置を備えるとともに、該クリーニング装置によりクリーニングされた前記像担持体の反射率を検知する第２反射型センサを有し、前記裸面反射率は前記第２反射型センサにより検知されることを特徴とする前記１に記載の画像形成装置。
【００１３】
３．前記制御手段は、画像データを用いて前記露出係数を計算することを特徴とする前記１又は２に記載の画像形成装置。
【００１４】
４．前記制御手段は、前記第１反射型センサの出力に対して、前記第１反射型センサの汚れによる誤差を補正することを特徴とする前記１〜３のいずれか１項に記載の画像形成装置。
【００１５】
５．前記制御手段は、前記第１反射型センサの出力に対して、前記第１反射型センサの汚れによる誤差を補正し、
前記誤差は、前記第１反射型センサの出力と、前記第２反射型センサの出力との差から求められることを特徴とする前記２に記載の画像形成装置。
【発明の効果】
【００１６】
本発明においては、画像安定化制御に用いられる反射型センサの出力変動が、像担持体の裸面反射率と、画像が形成された像担持体の露出計数とにより補正される。これにより、反射型センサの出力変動による制御上の誤差が良好に補正され、高画質の画像を長期間に亘り、安定して形成する画像形成装置が実現される。
【図面の簡単な説明】
【００１７】
【図１】本発明の実施の形態に係るカラー画像形成装置の全体構成図である。
【図２】反射型センサの補正を含む画像安定化補正を行う制御系のブロック図である。
【図３】画像安定化制御の１例を示すフローチャートである。
【図４】ラインパッチを示す模式図である。
【図５】目標出力と、反射型センサの出力とを示すグラフである。
【図６】目標出力と、反射型センサの出力に対して一律補正を行った場合とを示すグラフである。
【図７】センサ補正された反射型センサの出力を示すグラフである。
【図８】センサ汚れによる反射型センサの出力の誤差を示すグラフである。
【図９】目標出力と反射型センサの出力とを示すグラフである。
【図１０】センサ補正のフローチャートである。
【発明を実施するための形態】
【００１８】
図１は、本発明の実施の形態に係るカラー画像形成装置の全体構成図である。
【００１９】
カラー画像形成装置は画像形成ユニットを横方向に配列した構成を有している。カラー画像形成装置は、タンデム型カラー画像形成装置と称せられるもので、複数の画像形成手段としての画像形成ユニット９Ｙ、９Ｍ、９Ｃ、９Ｋと、像担持体としてのベルト状の中間転写体６と、から構成されている。
【００２０】
イエロー色の画像を形成する画像形成ユニット９Ｙは感光体１Ｙを有し、さらに、感光体１Ｙの周囲に配置された帯電装置２Ｙ、露光装置３Ｙ、現像装置４Ｙ、転写装置７Ｙ、及びクリーニング装置８Ｙを有する。マゼンタ色の画像を形成する画像形成ユニット９Ｍは感光体１Ｍを有し、さらに、感光体１Ｍの周囲に配置された帯電装置２Ｍ、露光装置３Ｍ、現像装置４ＭＭ、転写装置７Ｍ、及びクリーニング装置８Ｍを有する。シアン色の画像を形成する画像形成ユニット９Ｃは感光体１Ｃを有し、さらに、感光体１Ｃの周囲に配置された帯電装置２Ｃ、露光装置３Ｃ、現像装置４Ｃ、転写装置７Ｃ、及びクリーニング装置８Ｃを有する。黒色の画像を形成する画像形成ユニット９Ｋは感光体１Ｋを有し、さらに、感光体１Ｋの周囲に配置された帯電装置２Ｋ、露光装置３Ｋ、現像装置４Ｋ、転写装置７Ｋ、及びクリーニング装置８Ｋを有する。
【００２１】
中間転写体６は、複数のローラ６Ａ、６Ｂ、６Ｃ、６Ｄに巻回され、回動可能に支持されている。
【００２２】
画像形成ユニット９Ｙ、９Ｍ、９Ｃ、９Ｋにより形成された各色の画像は、回動する中間転写体６上に転写装置７Ｙ、７Ｍ、７Ｃ、７Ｋにより逐次転写されて（１次転写）、合成されたカラー画像が形成される。図示しない給紙カセット内に収容された転写材Ｐは、図示しない給紙搬送装置により給紙され、レジストローラ２０を経て、転写装置７Ａに搬送され、転写材Ｐ上にカラー画像が転写される（２次転写）。カラー画像が転写された転写材Ｐは、図示しない定着装置により定着処理され、図示しない排紙ローラに挟持されて機外の図示しない排紙トレイ上に載置される。
【００２３】
一方、転写装置７Ａにより転写材Ｐにカラー画像を転写した後、転写材Ｐを分離した中間転写体６からは、クリーニング装置８Ａにより残留トナーが除去される。
【００２４】
ＳＥＡは中間転写体６の移動方向に関して、クリーニング装置８Ａの下流に配置されており、クリーニング装置８Ａによりクリーニングされた中間転写体６の反射率を検知する反射型センサ（第２反射型センサ）である。反射型センサＳＥＡは中間転写体６の裸面（トナー像が形成されていない中間転写体６の表面）の反射率を検知する。
【００２５】
ＳＥＢは、中間転写体６の移動方向に関して、画像形成ユニット９Ｋと転写装置７Ａとの間に配置されており、トナー像を担持する中間転写体６の反射率を検知する反射型センサ（第１反射型センサ）である。反射型センサＳＥＢは中間転写体６上のトナー像におけるトナー付着量を検知する。
【００２６】
＜画像安定化制御＞
デジタル方式の電子写真プロセスで画像を形成する画像形成においては、環境の変化や現像剤、感光体等の資材の変化に関係なく安定した画像を形成するための画像安定化制御が行われる。
【００２７】
このような画像安定化制御は、感光体、中間転写体等の像担持体上にテストパッチを形成し、テストパッチにおけるトナー付着量を反射型センサで検知し、検知結果を帯電条件、現像条件、露光条件、転写条件等の画像形成条件にフィードバックするものであり、これにより濃度変動の極めて少ない安定した画像が形成される。
【００２８】
以下においては、画像形成ユニット９Ｙに対する画像安定化制御の例について説明するが、他の画像形成ユニット９Ｍ、９Ｃ、９Ｋに対しても同様な画像安定化制御が実施される。画像安定化制御は、画像形成装置の電源投入時、所定枚数の画像形成毎、或いは環境変動が大きい場合等に実施される。
【００２９】
図２は反射型センサの補正を含む画像安定化補正を行う制御系のブロック図、図３は画像安定化制御の１例を示すフローチャートである。
【００３０】
制御手段ＣＲは、中間転写体６からの反射光を検知する反射型センサＳＥＡ、ＳＥＢ、現像剤の透磁率を検知する透磁率センサＳＥＣの検知結果に基づいて、以下に説明する画像安定化制御とセンサ補正とを行う。反射型センサＳＥＡはクリーニング直後の中間転写体６の反射率を検知する。反射型センサＳＥＢはトナー像が形成された中間転写体６の反射率を検知し、この場合、反射型センサＳＥＢにより中間転写体６上のトナー像の濃度、即ち、トナー付着量が検知される。
【００３１】
ステップＳ１では、初期設定が行われる。
【００３２】
ステップＳ１における初期設定では、ａ．感光体電位の調整と、ｂ．現像条件の調整とが行われる。
【００３３】
ａ．感光体電位の調整においては、帯電装置２Ｙのグリット電圧を調整して感光体１Ｙの帯電電位を調整し、また露光装置３Ｙの光源であるレーザダイオードのパワーを調整して露光量の調整を行う。レーザパワーの調整は、レーザダイオードの駆動電圧の調整又はＰＷＭ（Ｐｕｌｓｅ、Ｗｉｄｔｈ、Ｍｏｄｕｌａｔｉｏｎ）の調整により行われる。
【００３４】
ｂ．現像条件の調整においては、磁性現像剤の透磁率を透磁率センサＳＥＣで検知することにより、現像剤のトナー濃度（トナーとキャリアの比率）が所定の濃度になるように調整される。
【００３５】
ステップＳ２では、感光体１Ｙ上にベタパッチが形成され、中間転写体６に転写される。ベタパッチは露出面積率が０％、即ち、中間転写体６がトナーにより完全に被覆されるトナー像のパッチである。
【００３６】
ステップＳ３では、中間転写体６上のベタパッチにおけるトナー付着量が反射型センサＳＥＢにより検知される。
【００３７】
ステップＳ４では、反射型センサＳＥＢの検知結果に基づいて、Ｖｓ／Ｖｐが決定される。ここに、Ｖｓは現像装置４Ｙの現像スリーブの周速であり、Ｖｐは感光体１Ｙの周速である。
【００３８】
Ｖｓ／Ｖｐの決定により最高濃度、即ち、トナーの最大付着量が決定される。
【００３９】
ステップＳ５では、ラインパッチが感光体１Ｙ上に形成され、中間転写体６に転写される。ラインパッチは、例えば、図４に示すように３ドットからなるラインが３ドット分の間隔をおいて形成されたものであり、階調曲線上の中間濃度を持ったハーフトーン画像のパッチである。
【００４０】
ステップＳ６では形成されたラインパッチにおけるトナー付着量が反射型センサＳＥＢにより検知される。
【００４１】
ステップＳ７では、検知されたラインパッチにおけるトナー付着量に基づいて、露光装置３Ｙの光源であるレーザダイオードのパワーを決定する露光量調整が行われる。
【００４２】
レーザパワーの調整は、レーザダイオードを駆動するパルスのパルス幅を調整するＰＷＭ調整により行われる。
【００４３】
このようにして、トナー付着量の検知結果を画像形成の条件であるＶｓ／Ｖｐとレーザパワーとにフィードバックされて、設計値どおりの濃度の画像を形成する画像形成条件が設定される。
【００４４】
なお、前述の画像安定化制御では、階調曲線上の２点（最高濃度と中間濃度）における調整を行っているが、階調曲線上の３以上の複数点における調整を行ってもよい。
【００４５】
＜センサ補正＞
前述の画像安定化制御では、反射型センサＳＥＢの出力が変動することにより制御の精度や安定性が影響を受けるという問題がある。以下に説明する反射型センサＳＥＢの補正によりこの問題が解決されるが、この補正は画像安定化制御の実施に先立って行われる。基本的には、各画像安定化制御に先立って補正が行われるが、必ずしも画像安定化制御毎に補正を行う必要はない。図５〜７は反射型センサＳＥＢを補正するセンサ補正の手順を示す。
【００４６】
反射型センサＳＥＢの出力変動の原因の一つに中間転写体６の反射率の変化がある。中間転写体６の反射率は、中間転写体６の作動時間の経過にしたがって変化する。即ち、中間転写体６の表面が使用により荒れたり、中間転写体６の表面に微粒子が固着したりすることにより、中間転写体６の表面が変化する。図５は中間転写体６の反射率変化による反射型センサＳＥＢの出力の変化を示すグラフである。反射型センサＳＥＢ、ＳＥＡは拡散光を検知する拡散反射型センサであり、それぞれＬＥＤからなる光源により中間転写体６に光を照射し、中間転写体６からの散乱光を受光素子で検知する。
【００４７】
図５の横軸はトナー付着量を表し、縦軸は反射型センサＳＥＢの出力（電圧Ｖ）を表す。
【００４８】
反射型センサＳＥＢは前述したように拡散反射型センサであり、トナー付着量の増加に比例してセンサ出力が増加する。直線Ｌ１は目標出力を示し、直線Ｌ２は反射型センサＳＥＢの出力を示す。
【００４９】
最大付着量においては、中間転写体６上にベタ画像が形成され、中間転写体６の表面は完全にトナーで覆われる。即ち、最大付着量においては、中間転写体６の露出面積率が０である。露出面積率０％を露出係数０とする。これに対して、中間転写体６上にトナーがなく、トナー付着量が０である場合、即ち、露出面積率１００％の場合を露出係数１とする。
【００５０】
反射型センサＳＥＢの出力は中間転写体６の反射率変化により、直線Ｌ１から直線Ｌ２のように変化する。即ち、トナー付着量０においては、中間転写体６の反射率の変化がそのまま反射型センサＳＥＢの出力変化となる。これに対して最大量のトナーが付着した中間転写体６の表面は完全にトナーで被覆されているために、目標出力と反射型センサＳＥＢの出力との差は０になる。
【００５１】
図６における直線Ｌ３は、中間転写体６の反射率変化を補正するために、付着量０から最大付着量に亘り反射型センサＳＥＢの光量を一律に増加させた場合の反射型センサＳＥＢの出力を示す。図示のように、トナー付着量０における反射型センサＳＥＢの出力は目標出力に合致するが、最大付着量において、反射型センサＳＥＢの出力の一律増加分だけ目標出力よりも高くなる。
【００５２】
図７における直線Ｌ４は、反射型センサＳＥＢの出力を中間転写体６の反射率変化に対応して補正するとともに、トナー付着量に対応した補正を行った場合の反射型センサＳＥＢの出力を示す。直線Ｌ４は、図３、４における目標出力を示す直線Ｌ１に一致する。図７の直線Ｌ４に示した出力を得る補正は、次に説明する式１で定義されるＶｘを計算することにより行われる。
【００５３】
Ｖｘ＝Ｖｏｕｔ−（Ｖｒ−Ｖｂａｓｅ）×α・・・・・式１
ただし、
Ｖｘ：補正された反射型センサＳＥＢの出力
Ｖｏｕｔ：トナー像を検知した反射型センサＳＥＢの出力
Ｖｒ：中間転写体６の裸面（トナー付着０）に対する目標出力
Ｖｂａｓｅ：中間転写体６の裸面（トナー付着量０）を検知した反射型センサの出力
α：中間転写体６の露出係数
露出係数αは、トナー付着量０において、「１」、最大トナー付着量において、「０」となるように、トナー付着量の増加にしたがって直線的に減少する。露出係数αは、露光装置３Ｙを駆動する画像データを用いた計算から算出される。即ち、画像データの最高値におけるα＝０とし、画像データの０におけるα＝１とし、中間濃度におけるαを比例計算することにより、露出係数αが計算される。制御手段ＣＲは画像データ発生部ＤＧが発生する画像データから露出係数を計算する。例えば、２５６階調の画像を形成する場合、データ量０を露出係数１とするとともに、データ量２５６を露出係数０とし、中間濃度における露出係数を比例計算で算出する。
【００５４】
中間転写体６の裸面に対する目標出力は、トナー付着量０における反射型センサの目標出力であり、予め設定されている。Ｖｂａｓｅは反射型センサＳＥＡが中間転写体６の出力である。反射型センサＳＥＡは、クリーニング装置８Ａによりクリーニングされた中間転写体６の裸面からの反射光を検知する。したがって、反射型センサＳＥＡの出力がＶｂａｓｅとして用いられる。
【００５５】
図７の直線Ｌ４は、付着量０から最大付着量までの範囲内で変化する付着量のパッチを検知した反射型センサＳＥＢの補正後の値を示している。制御手段ＣＲは式１を用いた反射型センサＳＥＢの出力に対する補正を行って、図７の直線Ｌ４を得る。
【００５６】
反射型センサＳＥＢの出力は、前述した中間転写体６の反射率の変化により変動する他に、センサ汚れにより変動する。図８はセンサ汚れによる出力変化を示す。反射型センサのセンサ面、即ち、発光部における光出力面や受光部における受光面が汚れた場合、反射型センサＳＥＢの出力は図８における直線Ｌ５で示す出力から直線Ｌ６のように変化する。
【００５７】
直線Ｌ５と直線Ｌ６との差はトナー像を担持しない中間転写体６の反射率を検知した反射型センサＳＥＡの出力と、反射型センサＳＥＢの出力の差から得られる。反射型センサＳＥＡはクリーニング後の中間転写体６に対向して配置されているので、そのセンサ面は汚れないと見ることができる。一方、反射型センサＳＥＢはトナー像を担持している中間転写体６に対向しているのでトナーが付着しやすく、トナーによる汚れでその出力が変化する。このことから、汚れによる反射型センサＳＥＢの出力の変化Ｖｙは次の式２から求められる。
【００５８】
Ｖｙ＝Ｖａ−Ｖｂ・・・・・式２
ただし、
Ｖａ：反射型センサＳＥＡの出力
Ｖｂ：トナー像を担持しない中間転写体６からの反射光を検知した反射型センサＳＥＢの出力（中間転写体の裸面に対する出力）
なお、Ｖａは式１におけるＶｂａｓｅに等しい。
【００５９】
図８に示すようにセンサ汚れによる反射型センサＳＥＢの出力を示す直線Ｌ６は、目標出力である直線Ｌ５とほぼ平行であるので、中間転写体６の裸面に対する出力差を用いて補正することにより、トナー量の全変化範囲に対する補正を行うことができる。
【００６０】
図９における直線Ｌ７は実際の反射型センサＳＥＢの出力を示す。直線Ｌ７で示される反射型センサＳＥＢの出力には、中間転写体６の反射率の変化による誤差とセンサ汚れによる誤差とが含まれている。したがって、反射型センサＳＥＢの出力に対する補正では、中間転写体６の反射率変化に対する補正とセンサ汚れに対する補正とが行われる。しかしながら、実際に行われるセンサ補正においては、中間転写体６の反射率変化に対する補正とセンサ汚れに対する補正とを毎回対で実行する必要はない。即ち、複数回の中間転写体６の反射率変化に対する補正毎に、センサ汚れに対する補正を行うか、又は必要に応じて随時センサ汚れに対する補正を行っても良い。
【００６１】
図１０は反射型センサＳＥＢの出力に対して、中間転写体６の反射率変化による誤差とセンサ汚れによる誤差とに対する補正であるセンサ補正を行う制御のフローチャートである。
【００６２】
ステップＳ１０において、中間転写体６の裸面の反射率を検知した反射型センサＳＥＡ、ＳＥＢの出力Ｖａ、Ｖｂが得られる。
【００６３】
反射型センサＳＥＢの出力Ｖｂから、図９におけるトナー付着量０における目標出力とセンサ出力との差が得られるとともに、センサ汚れＶｙ＝ＶａーＶｂが得られる。
【００６４】
ステップＳ１１において、反射型センサＳＥＡ、ＳＥＢのキャリブレーションが行われる。キャリブレーションにおいては、図７における直線Ｌ７の左端を直線Ｌ１の左端に一致させる、即ち、反射型センサＳＥＢの出力Ｖｂ（反射型センサＳＥＢがトナー像を担持しない中間転写体６の反射率を検知したときの出力）をトナー付着量０における目標出力に合わせることが行われる。キャリブレーションは反射型センサＳＥＢの光源光量を調整することにより行われる。反射型センサＳＥＡは画像安定化制御に直接使用されるものではないが、前述のように、反射型センサＳＥＢのキャリブレーションのために反射型センサＳＥＡの出力が用いられるので、反射型センサＳＥＡに対しても反射型センサＳＥＢに対するのと等量の補正によるキャリブレーションが行われる。
【００６５】
ステップＳ１２において、キャリブレーションされた反射型センサＳＥＢの出力に対する各濃度レベルにおける補正値が決定される。この補正値は、画像データに基づいて算出される中間転写体６の露出計数を用い、前記式１により決定される。
【００６６】
決定された補正値はメモリＭＲに記憶される。
【００６７】
図３におけるステップＳ３、Ｓ６における検知では、キャリブレーションされた反射型センサＳＥＢの出力に対してメモリＭＲに記憶されている補正値を用いた補正が行われる。そして、補正されたセンサ出力がステップＳ４、Ｓ７におけるＶｓ／Ｖｐの設定と、露光量調整とに用いられる。
【実施例】
【００６８】
次に、センサ補正の具体例を説明する。
【００６９】
中間転写体６の裸面に対するセンサ出力の目標値は２．１（Ｖ）に設定されている（Ｖｒ＝２．１Ｖ）。
・中間転写体の裸面を検知した反射型センサＳＥＡの出力は１．９Ｖであった（Ｖｂａｓｅ＝１．９Ｖ）
反射型センサＳＥＡの出力は中間転写体を１周移動させて得られた反射型センサＳＥＡの出力を平均化することにより求められた。
【００７０】
この結果から、中間転写体の反射率変化による反射型センサＳＥＡの出力変化は０．２Ｖであった（２．１Ｖ−１．９Ｖ＝０．２Ｖ）。
ベルト面出力＝１．９（ｖ）であった場合、変動量＝（２．１−１．９）＝０．２（ｖ）
・トナー付着量０における反射型センサＳＥＢの出力を１．９Ｖとなるように、反射型センサＳＥＢにおける光源の発光量を調整して、反射型センサＳＥＢのキャリブレーションを行った。
・次に前記式１により階調曲線上の各レベルにおける反射型センサ出力に対する補正値を決定した。
【００７１】
例えば、反射型センサＳＥＢの出力が５．０Ｖであったとき、露出係数０．６のハーフトーンにおける補正されたセンサ出力Ｖｘは次の計算により決定される。
Ｖｘ＝  ５．０−（２．１−１．９）×０．６  ＝  ４．８８（ｖ）
なお、この計算例では、センサ汚れによる誤差の補正をしていないが。前述のようにセンサ汚れに対する補正も行う場合には、中間転写体の反射率変化に対する補正に加えて、センサ汚れに対する補正が実行される。
【符号の説明】
【００７２】
１１Ｙ、１Ｍ、１Ｃ、１Ｋ  感光体
２Ｙ、２Ｍ、２Ｃ、２Ｋ  帯電装置
３Ｙ、３Ｍ、３Ｃ、３Ｋ  露光装置
４Ｙ、４Ｍ、４Ｃ、４Ｋ  現像装置
７Ｙ、７Ｍ、７Ｃ、７Ｋ  転写装置
８Ｙ、８Ｍ，８Ｃ、８Ｋ  クリーニング装置
６  中間転写体
ＳＥＡ、ＳＥＢ  反射型センサ
ＣＲ  制御手段
【図１】
2012003112.tif 000003
【図２】
2012003112.tif 000004
【図３】
2012003112.tif 000005
【図４】
2012003112.tif 000006
【図５】
2012003112.tif 000007
【図６】
2012003112.tif 000008
【図７】
2012003112.tif 000009
【図８】
2012003112.tif 000010
【図９】
2012003112.tif 000011
【図１０】
2012003112.tif 000012